(57)【要約】【課題】製造コストが低減され、また、意匠性が良好な照明制御装置および照明器具を提供する。【解決手段】検出手段２の検出信号に応じてランプ８，８の点灯状態を制御する電源回路３と、一方の面４ａに少なくとも電源回路３を形成する背の高い電子部品が実装され、他方の面４ｂに検出手段２を配設しているプリント基板４と、照明器具本体１４に取付けられ、プリント基板４の一方の面４ａが照明器具本体１４に対向するようにしてプリント基板４を収容し保持している箱状のケース５とを具備する。【選択図】図１
2004006134.tif 000002
【特許請求の範囲】
【請求項１】
照明器具本体に配設されたランプの照明エリアの照度を検出する照度検出手段、前記照明エリア内の人体の有無を検出する人体検出手段および外部からのワイヤレス信号を検出する信号検出手段の少なくとも１つを有する検出手段と；
前記検出手段の検出信号に応じてランプの点灯状態を制御する電源回路と；
一方の面に少なくとも電源回路を形成する背の高い電子部品が実装され、他方の面に前記検出手段を配設しているプリント基板と；
照明器具本体に取付けられ、プリント基板の前記一方の面が照明器具本体に対向するようにしてプリント基板を収容し保持している箱状のケースと；
を具備していることを特徴とする照明制御装置。
【請求項２】
検出手段は、ケース内に収納されてプリント基板に実装された検出部品からなり、ケースは、この検出部品に対向する開口が形成されていることを特徴とする請求項１記載の照明制御装置。
【請求項３】
照明器具本体に配設されたランプの照明エリアの照度を検出する照度検出手段、前記照明エリア内の人体の有無を検出する人体検出手段および外部からのワイヤレス信号を検出する信号検出手段の少なくとも２つを有する検出手段と；
前記検出手段の検出信号に応じてランプの点灯状態を制御する電源回路と；
一方の面に少なくとも電源回路を形成する背の高い電子部品が実装され、他方の面に前記検出手段を隣接して配設しているプリント基板と；
を具備していることを特徴とする照明制御装置。
【請求項４】
請求項１ないし３いずれか一記載の照明制御装置と；
照明制御装置の制御信号に応じてランプの点灯状態を変化させる点灯装置と；
点灯装置により付勢されるランプと；
照明制御装置、点灯装置およびランプを配設している照明器具本体と；
を具備していることを特徴とする照明器具。
【発明の詳細な説明】
【０００１】
【発明の属する技術分野】本発明は、検出手段などの信号に応じて照明器具のランプの点灯状態を制御する照明制御装置および照明器具に関する。
【０００２】
【従来の技術】例えば天井側に設置される直付け照明器具においては、リモートコントロール用の受信ユニットを備え、リモートコントロール用送信機により送信される信号を受信し、その受信内容に応じてランプの点灯状態を制御しているものがある。例えば特開平８−１０２２１２号公報（従来技術）に開示されており、その照明器具の受信ユニットの構成は、図８に示す通りである。
【０００３】
図８に示す受信ユニット５０は、ランプ制御用の電子回路（照明制御装置）を形成する複数の電子部品５１が実装されたプリント基板５２と、このプリント基板５２に電子部品５１を覆って組み合わされた合成樹脂製のユニットカバー５３と、送信信号を受ける受信センサ５４とを備えて形成されている。そして、ユニットカバー５３に受信口５５ｂおよびこの受信口５５ｂが開けられた壁５５ａから離間するセンサ係止爪部５５ｃを有したセンサ取付け部５５を一体に成形し、受信口５５ｂに臨んで配置される受信センサ５４を、壁５５ａとセンサ係止爪部５５ｃとで挟んでセンサ取付け部５５に内蔵している。
【０００４】
【発明が解決しようとする課題】従来技術は、センサ取付け部５５に受信センサ５４を配設するとともに、受信センサ５４に接続された出力コード５６をプリント基板５２側の図示しないコネクタに接続するので、受信ユニット５０の組立てに手間を要し、コスト高になるという欠点を有する。
【０００５】
また、照明器具に受信センサ５４に加え、照度センサや人感センサなどを設ける場合、これらの取付け部を設けるとともに、反射板等にこれらの受信口に対向する開口を形成する必要があるので、照明器具の製造コストが上昇するとともに、複数の開口により意匠性が損なわれるという欠点を有する。
【０００６】
本発明は、製造コストが低減され、また、意匠性が良好な照明制御装置および照明器具を提供することを目的とする。
【０００７】
【課題を解決するための手段】請求項１に記載の照明制御装置の発明は、照明器具本体に配設されたランプの照明エリアの照度を検出する照度検出手段、前記照明エリア内の人体の有無を検出する人体検出手段および外部からのワイヤレス信号を検出する信号検出手段の少なくとも１つを有する検出手段と；前記検出手段の検出信号に応じてランプの点灯状態を制御する電源回路と；一方の面に少なくとも電源回路を形成する比較的背の高い電子部品が実装され、他方の面に前記検出手段を配設しているプリント基板と；照明器具本体に取付けられ、プリント基板の前記一方の面が照明器具本体に対向するようにしてプリント基板を収容し保持している箱状のケースと；を具備していることを特徴とする。
【０００８】
本発明および以下の各発明において、特に言及しない限り、各構成は以下による。
【０００９】
「ランプの点灯状態を制御する」とは、ランプを点灯、消灯または調光状態のいずれかの状態にすることを意味する。例えば、電源回路が点灯装置に調光信号を送出し、この調光信号に応じて点灯装置はランプを調光点灯させる。
【００１０】
プリント基板は、一方の面の他、他方の面に電源回路を形成する背の低い電子部品が実装されていてもよい。
【００１１】
「背の高い電子部品」とは、電源回路を構成する電子部品のうち、相対的に、リードを含めた背の高い電子部品をいう。
【００１２】
検出手段は、プリント基板の配設において、ケース内に収容されてもよく、ケースから突出されてもよい。検出手段がケースから突出されるとき、ケースには、検出手段が挿通される開口が設けられる。
【００１３】
本発明によれば、プリント基板の一方の面に少なくとも電源回路を形成する背の高い電子部品が実装され、他方の面に前記検出手段が配設され、このプリント基板を箱状のケースが収容し保持するので、照明制御装置の組立てが容易に行われ、低コスト化される。
【００１４】
請求項２に記載の照明制御装置の発明は、請求項１記載の照明制御装置において、検出手段は、ケース内に収納されてプリント基板に実装された検出部品からなり、ケースは、この検出部品に対向する開口が形成されていることを特徴とする。
【００１５】
本発明によれば、検出手段は、ケース内に収容され、プリント基板に実装されているので、照明制御装置が小形化される。
【００１６】
請求項３に記載の照明制御装置の発明は、照明器具本体に配設されたランプの照明エリアの照度を検出する照度検出手段、前記照明エリア内の人体の有無を検出する人体検出手段および外部からのワイヤレス信号を検出する信号検出手段の少なくとも２つを有する検出手段と；前記検出手段からの制御信号に応じてランプの点灯状態を制御する電源回路と；一方の面に少なくとも電源回路を形成する背の高い電子部品が実装され、他方の面に前記検出手段を隣接して配設しているプリント基板と；を具備していることを特徴とする。
【００１７】
プリント基板は、ケース内に収容されても、ケースを用いずに露出されていてもよい。
【００１８】
本発明によれば、プリント基板は少なくとも２つの検出手段を隣接して配設しているので、プリント基板を収容するケースや照明器具の反射板等に各検出手段の共通の開口を形成することが可能であり、照明制御装置および照明器具の製造コストが低減されるとともに、意匠性が損なわれることが防止される。
【００１９】
請求項４に記載の照明器具の発明は、請求項１ないし３いずれか一記載の照明制御装置と；照明制御装置の制御信号に応じてランプの点灯状態を変化させる点灯装置と；点灯装置により付勢されるランプと；照明制御装置、点灯装置およびランプを配設している照明器具本体と；を具備していることを特徴とする。
【００２０】
本発明によれば、請求項１ないし３いずれか一記載の照明制御装置を具備するので、製造コストが低減され、意匠性が良好な照明器具が提供される。
【００２１】
【発明の実施の形態】以下、本発明の一実施の形態について、図面を参照して説明する。まず、本発明の第１の実施形態について説明する。
【００２２】
図１〜図５は、本発明の第１の実施形態を示し、図１は照明制御装置の概略斜視図、図２は照明制御装置の分解概略斜視図、図３は照明制御装置の概略縦断面図、図４は照明器具の外観図、図５は照明器具の反射板を除去した概略下面図である。
【００２３】
図１〜図３に示すように、照明制御装置１は、信号検出手段（検出手段）としての受光素子２、電源回路３、プリント基板４およびケース５を有して構成されている。
【００２４】
受光素子２は、チップ部品からなり、プリント基板４の他方の面４ｂに配設されて、外部からのワイヤレス信号を検出するものである。すなわち、図４に示すように、照明器具６の外部の送信機（リモコン）７から送信されたワイヤレス信号を受信するように構成されている。送信機７は、アップスイッチ７ａおよびダウンスイッチ７ｂを備え、このアップ・ダウンスイッチ７ａ，７ｂが操作されることにより、ランプとしての蛍光ランプ８，８の光出力を変化させる制御信号を送信するように構成されている。
【００２５】
電源回路３は、送信機７から送信されたワイヤレス信号に応じて、蛍光ランプ８，８を調光させる。すなわち、受光素子２の検出信号に応じて蛍光ランプ８，８の点灯状態を制御するように構成されている。そして、電源回路３は、図３に示すように、プリント基板４の一方の面４ａに端子台９や電解コンデンサ１０などの背の高い電子部品（ディスクリート部品）が実装され、プリント基板４の他方の面４ｂにチップ部品１１や抵抗１２などの比較的背の低い電子部品の一部が実装されている。
【００２６】
プリント基板４は、ガラスエポキシ材からなり、長方形状に形成され、上述したように、受光素子２および電源回路３を形成する電子部品を実装している。
【００２７】
ケース５は、アルミニウム材からなる薄板を折曲して箱状に形成したものであり、図２に示すように、長手方向の両端部に取付け片５ａ，５ａが形成されている。そして、取付け片５ａ，５ａには孔１３，１３が形成されている。そして、孔１３，１３に対向するように、照明器具６のシャーシ（照明器具本体）１４にねじ孔１５，１５が形成されている。ケース５は、図示しないねじを取付け片５ａ，５ａの孔１３，１３に挿通し、シャーシ１４のねじ孔１５，１５に螺合させることにより、図１に示すように、シャーシ１４に取付けられている。
【００２８】
そして、ケース５は、図３に示すように、プリント基板４の一方の面４ａがシャーシ１４に対向するようにしてプリント基板４を収容し保持している。すなわち、ケース５は、図２に示すように、側面５ｂ，５ｂの上部に切り起こし片１６，１６が形成され、傾斜面５ｃ，５ｃに切り起こし片１７，１７が形成されている。そして、ケース５内にプリント基板４を収容した後、ケース５内に切り起こし片１６，１６を切り起こすことにより、切り起こし片１６，１６がプリント基板４の一方の面４ａを係止し、ケース５内に切り起こし片１７，１７を切り起こすことにより、切り起こし片１７，１７がプリント基板４の他方の面４ｂに当接される。これにより、プリント基板４は、切り起こし片１６，１６および切り起こし片１７，１７により保持されている。なお、プリント基板４に実装された電源回路３を形成する電子部品は、切り起こし片１６，１６間および切り起こし片１７，１７間において、図示しない絶縁紙に包囲されてケース５内に収容されている。
【００２９】
そして、ケース５の上面５ｄには、プリント基板４に実装された受光素子２に対向する開口１８が形成されている。この開口１８を介して送信機７から送信されたワイヤレス信号が受光素子２に送信される。
【００３０】
また、ケース５の側面５ｂの下部には、開口１９，１９が形成されている。そして、図１に示すように、開口１９からプリント基板４に接続されているコード２０が導出されている。コード２０は、蛍光ランプ８，８を付勢する点灯装置および電源などに接続されている。
【００３１】
こうして、照明制御装置１は形成されており、図５に示すように、照明器具６の一方の端部側において、照明装置本体（シャーシ）１４に取付けられている。すなわち、照明制御装置１は、照明器具６の長手方向と直交する方向の中央部の蛍光ランプ８，８間に配設されている。また、蛍光ランプ８，８間の照明装置本体（シャーシ）１４に点灯装置２１が配設されている。点灯装置２１は、コード２０を介して照明制御装置１と接続されており、照明制御装置１の制御信号（調光信号）に応じて蛍光ランプ８，８の点灯状態を変化させるように構成されている。
【００３２】
また、照明器具６の両端部側において、照明装置本体（シャーシ）１４にランプソケットが２２，…，２２が配設されている。そして、ランプソケットが２２，２２間に蛍光ランプ８が装着されている。ランプソケットが２２，…，２２は、点灯装置２１と電気的に接続されており、蛍光ランプ８，８は、点灯装置２１により付勢される。
【００３３】
そして、照明装置本体（シャーシ）１４は、照明制御装置１、点灯装置２１および蛍光ランプ８，８を配設しているとともに、図４に示すように、照明器具６の長手方向と直交する方向の中央部が長手方向に亘って山形に形成された反射板２３を配設している。そして、反射板２３は、照明制御装置１のケース５の上面５ｄに形成された開口１８に対向して開口２４が形成されている。この開口２４に向かって送信機７から送信信号が送信される。
【００３４】
次に、本発明の第１の実施形態の作用について述べる。
【００３５】
上述したように、少なくとも電源回路３を形成する背の高い電子部品がプリント基板４の一方の面４ａに実装され、送信機７からの送信信号を検出する受光素子２がプリント基板４の他方の面４ｂに実装されている。このプリント基板４を箱状のケース５に収容し、切り起こし片１６，１６および切り起こし片１７，１７によりプリント基板４を保持することにより、照明制御装置１の組立てが容易になされる。すなわち、受光素子２がケース５内に収容され、照明制御装置１の組立てが容易になるとともに、照明制御装置１および照明制御装置１を配設している照明器具６が低コスト化される。
【００３６】
また、信号検出手段（検出手段）としての受光素子２は、チップ部品であるので、その受光部が小さく、ケース５の上面５ｄに形成される開口１８および照明器具６の反射板２３に形成される開口２４が小さく形成される。したがって、照明制御装置１および照明器具６のそれぞれの意匠性が損なわれることが防止される。
【００３７】
なお、図１〜図３において、電源回路３を形成している電子部品は適宜省略している。
【００３８】
また、上記第１の実施形態において、検出手段として受光素子２の信号検出手段を用いているが、この信号検出手段の他、蛍光ランプ８，８の照明エリアの照度を検出する照度センサなどの照度検出手段、照明エリア内の人体の有無を検出する人感センサなどの人体検出手段の少なくとも１つを有していればよいものである。
【００３９】
次に、本発明の第２の実施形態について説明する。
【００４０】
図６〜図７は、本発明の第２の実施形態を示し、図６はプリント基板の概略斜視図、図７は照明器具であり、（ａ）は一部切り欠き正面図、（ｂ）は一部切り欠き下面図である。なお、図１〜図３と同一部分には同一符号を付して説明は省略する。また、電源回路３を形成している電子部品は省略している。
【００４１】
図６に示すプリント基板４は、他方の面４ｂに受光素子２および照度検出手段としての照度センサ２８を隣接して配設している。そして、一方の面４ａに少なくとも電源回路３を形成する背の高い電子部品（図示しない。）が実装されている。また、他方の面４ｂに電源回路３を形成する背の低い電子部品の一部（図示しない。）が実装されている。
【００４２】
受光素子２は、外部の送信機７から送信されたワイヤレス信号を検出するように構成されている。また、照度センサ２８は、図７に示す照明器具２９の蛍光ランプ８，８の照明エリアの照度を検出するように構成されている。こうして、照明制御装置３０が形成されている。照明制御装置３０は、受光素子２および照度センサ２８の検出信号に応じて、蛍光ランプ８，８の点灯状態を制御するように構成されている。
【００４３】
図７に示す照明器具２９は、天井等に直付けされる照明器具であり、図示のように照明制御装置３０（プリント基板４）を照明器具本体３１に配設している。また、照明器具本体３１は、照明器具２９の前面側に反射板３２を配設し、両端部にランプソケット３３，…，３３を配設している。そして、反射板３２には、プリント基板４に隣接して配設された受光素子２および照度センサ２８に対向して共通の開口３４が形成されている。また、ランプソケット３３，３３間には、蛍光ランプ８が配設されている。
【００４４】
照明器具２９の外部の送信機７は、照明器具本体３１に形成された共通の開口３４に向かってワイヤレス信号を送信する。ワイヤレス信号は、開口３４を通過して受光素子２に検出される。また、前記照明エリアの照度は、照明エリア内の反射光が開口３４を通過して照度センサ２８に検出される。照明制御装置３０は、受光素子２および照度センサ２８の検出信号に応じて制御信号を図示しない点灯装置に送出する。そして、点灯装置は、照明制御装置３０から送出された制御信号に応じて蛍光ランプ８，８を調光させるなど、その点灯状態を変化させる。
【００４５】
検出手段としての受光素子２および照度センサ２８は、隣接してプリント基板４に配設されているので、反射板３２には共通の開口３４を形成すればよい。したがって、受光素子２および照度センサ２８のそれぞれに対向して開口を形成する場合に比べ、照明器具２９の意匠性が損なわれることが防止される。また、受光素子２および照度センサ２８をプリント基板４の他方の面４ｂに配設しているので、照明制御装置３０の構成が簡素であり、低コスト化される。
【００４６】
なお、照明制御装置３０は、ケース内にプリント基板４を収納し保持するように構成してユニット化してもよい。このとき、ケースには、反射板３２に形成された開口３４に対向される開口が形成される。
【００４７】
また、検出手段は、信号検出手段として受光素子２、照度検出手段としての照度センサ２８の組合せに限らず、これらに加え、人感センサなどの照明エリア内の人体の有無を検出する人体検出手段の少なくとも２つを有していればよいものであり、さらに、信号検出手段、照度検出手段および人体検出手段以外の検出手段を有していてもよい。
【００４８】
【発明の効果】請求項１の発明によれば、プリント基板の一方の面に少なくとも電源回路を形成する背の高い電子部品が実装され、他方の面に前記検出手段が配設され、このプリント基板を箱状のケースが収容し保持するので、照明制御装置の組立てを容易に行うことができ、低コスト化することができる。
【００４９】
請求項２の発明によれば、検出手段は、ケース内に収容され、プリント基板に実装されているので、照明制御装置を小形化することができる。
【００５０】
請求項３の発明によれば、プリント基板は検出手段を隣接して配設しているので、プリント基板を収容するケースや照明器具の反射板等に各検出手段の共通の開口を形成することが可能であり、照明制御装置および照明器具の製造コストを低減することができるとともに、意匠性が損なわれることを防止することができる。
【００５１】
請求項４の発明によれば、請求項１ないし３いずれか一記載の照明制御装置を具備しているので、製造コストが低減され、意匠性が良好な照明器具を提供することができる。
【図面の簡単な説明】
【図１】本発明の第１の実施形態を示す照明制御装置の概略斜視図。
【図２】同じく、照明制御装置の分解概略斜視図。
【図３】同じく、照明制御装置の概略縦断面図。
【図４】同じく、照明器具の外観図。
【図５】同じく、照明器具の反射板を除去した概略下面図。
【図６】本発明の第２の実施形態を示すプリント基板の概略斜視図。
【図７】同じく、照明器具であり、（ａ）は一部切り欠き正面図、（ｂ）は一部切り欠き下面図。
【図８】従来技術の照明器具の受信ユニットの構成を示す断面図。
【符号の説明】
１，３０…照明制御装置、２…信号検出手段としての受光素子、３…電源回路、４…プリント基板、５…ケース、６，２９…照明器具、２１…点灯装置、８…ランプとしての蛍光ランプ、１４，３１…照明器具本体（シャーシ）、２８…照度検出手段としての照度センサ
【図１】
2004006134.tif 000003
【図２】
2004006134.tif 000004
【図３】
2004006134.tif 000005
【図４】
2004006134.tif 000006
【図５】
2004006134.tif 000007
【図６】
2004006134.tif 000008
【図７】
2004006134.tif 000009
【図８】
2004006134.tif 000010